(57)【要約】【課題】  連結支え定型強度を増加できる多格子紙弁当箱の構造改善を提供する。【解決手段】  個別に成形される第一子箱１及び第二小箱２が互いの側壁をもって対応して一体に連結されている。第一小箱１と第二小箱２との連接端の側壁は平面が鈍角接続形の対応状に折り出され、かつ鈍角接続形側壁及び鈍角接続形側壁内の折角個所と相対端の直線形側壁間にはともに隔壁が設けられている。更に、鈍角接続形側壁の頂縁にはそれぞれ折り曲げ可能な筋状連接片が延伸され、鈍角接続形側壁と連接する直線形側壁にはそれぞれ連接端に平らに凸片が延伸している。第一小箱１及び第二小箱２は連接片と凸片の対応貼り合せにより、四角形箱内に蜂の巣型隔壁態様のある多格子紙弁当箱に形成することが可能である。【選択図】    図２
0003101936.tif 000002
【実用新案登録請求の範囲】
【請求項１】
多格子紙弁当箱の構造であって、個別に成形される第一小箱及び第二小箱が互いの側壁をもって対応して一体に連結され、
第一小箱と第二小箱との連接端の側壁は平面が鈍角接続形に折り曲げられ、かつ鈍角接続形側壁内の折角個所と相対端の直線形側壁間にはともに隔壁が設けられ、更に鈍角接続形側壁の頂縁にはそれぞれ折り曲げ可能な筋状連接片が延伸され、鈍角接続形側壁と連接する直線形側壁にはそれぞれ連接端に平らに凸片が延伸し、第一小箱及び第二小箱は連接片と凸片の対応貼り合せにより、四角形箱内に蜂の巣型隔壁態様のある多格子紙弁当箱に形成されることを特徴とする多格子紙弁当箱の構造。
【請求項２】
第一子箱または第二小箱のいずれかの凸片は、蓋の底縁と対応連接に供される長さに延伸していることを特徴とする請求項１記載の多格子紙弁当箱の構造。
【考案の詳細な説明】
【技術分野】
【０００１】
本考案は、多格子紙弁当箱の構造改善に関するもので、特に、組合せ方法を運用し、板紙を利用して個別に成形された第一子箱及び第二小箱を対応した蜂の巣型隔壁態様のある多格子紙弁当箱の構造設計に一体に貼り合わせ、それによって成型後の紙弁当箱の連結支え定型強度は更によくなる。
【背景技術】
【０００２】
商工業がますます発達する社会に於いて、競争は進歩の最も大きい動力であるが、進歩を求めると同時に、産業上に於ける物件のコスト、形態質感、生産効率及び人力資源の運用はともに製品の競争力と直接関連があるので、それは業者が研究開発を行う時に最も考慮するべき要因でもある。
【０００３】
早期の多格子弁当箱の多くは予め辺形が裁断され、かつ折り線のある一枚の板紙をプレス加工と熱シールによって箱の底片周縁に沿って四角形側壁があり、側壁内面には立てと横に隔壁があり、成形後の紙弁当箱には複数個の四角形皿がある多格子形態に貼り付けられる。このような設計は一体成型の効果を得ることができるが、現在の自動化成型技術から言えば、同じ板紙の中央個所に多くの裁断と折り畳み部を施すと、製造過程中に折り畳み部の対応折り畳み精度と接着品質の不安定及び生産効率を効果的に向上することができず、コストが高い等の問題が存在し、かつ同じ板紙にＸ軸及びＹ軸方向の移動折り合わせ手段を施しても、プレス機器の複雑化と成型速度の低下を引き起こし、この問題は箱内隔離皿エリヤの格子数と辺形が増えることに伴って増加し、消費市場の経済性と分割視角変化のニーズを満足することができず、これは参考案の一つの欠陥とも言える。
【考案の開示】
【考案が解決しようとする課題】
【０００４】
本考案は、上記従来の多格子紙弁当箱の隔離構造形態と強度に対して更に向上改善設計を行い、それによって、成型後の紙弁当箱には蜂の巣型隔壁形態があり、連結支え定型強度を更に増やす目的が達成される。
【課題を解決するための手段】
【０００５】
上記目的を達成するため、本考案が採用実施する技術手段は、個別に成形される第一子箱及び第二小箱が互いの側壁をもって対応して一体に連結され、それは主として第一小箱及び第二小箱の連接端の側壁が平面が鈍角接続形の対応状に設けられ、かつ鈍角接続形の側壁内の折角個所と相対端の側壁間には隔壁が設けられており、鈍角接続形側壁の頂縁には筋状の連接片が延伸され、鈍角接続形側壁と連接する直線形側壁にはそれぞれ平らに凸片が延伸されている。これにより、連接片と凸片との対応貼り合せを利用し、容易に蜂の巣型隔壁態様のある多格子紙弁当箱に形成することができ、かつ成型後の紙弁当箱は更によい連結支え定型強度が得られる。
【０００６】
本明細書中において、鈍角接続形とは、概ね平行な二つの面とこの二つの平行な面を接続する接続面とからなり、二つの平行な面と接続面とが鈍角を形成して接続する形状をいう。すなわち、例えば「Ｚ」字の折り曲げ部分を鈍角にした形状である。
【考案を実施するための最良の形態】
【０００７】
本考案の構造特徴及び効用を更に了解していただくため、ここに最適実施例を取り上げ、図面に合わせて次の如く詳しく説明します。
図１及び図２を参照ください。本考案の一実施例による多格子紙弁当箱の構造改善は、板紙材から個別に成形される第一子箱１及び第二小箱２が互いに対応した側壁をもって一体に連結されている。
【０００８】
図２及び図３に示す如く、第一子箱１は裁断辺形とプレス折線を利用した板紙で、それには箱底片１１周縁に沿って三つの直線形側壁１２、直線形側壁１３、直線形側壁１４及び一つ鈍角接続形側壁１５が折り付けられており、鈍角接続形側壁の内折角個所と相対端の直線形側壁１３間には隔壁１６が設けられ、かつ鈍角接続形側壁頂縁には折り曲げ可能な筋状連接片１７が延伸されており、更に鈍角接続形側壁と連接する直線形側壁１２及び直線形側壁１４の端縁個所にはそれぞれ平らに凸片１８が延伸されており、鈍角接続形側壁と異なる直線形側壁の頂縁には蓋１９が連結されている。
【０００９】
また、第二子箱２の箱形は第一子箱１と鏡反射の対応関係に現れ、それは裁断辺形とプレス折線の板紙を利用して箱底辺２１に折り出され、周縁には三つの直線形側壁２２、直線形側壁２３、直線形側壁２４及び一つの鈍角接続形側壁２５が折り出され、鈍角接続形側壁の内折角個所と相対端である直線形側壁２３間には隔壁２６が折り出されており、かつ鈍角接続形側壁の頂縁には筋状の連接片２７が延伸され、連接片の両端には直線形側壁に貼り付けるための貼り片２７ａが延伸されており、それによって、連接片２７は平折状態になって、鈍角接続形側壁の頂壁と連接する直線形側壁２２及び直線形側壁２４の端縁個所にはそれぞれ凸片２８が延伸されている。
【００１０】
上記の如く、実施する場合は、第一子箱１及び第二個箱２を互いに連接片１７及び連接片２７をもって上下に対応して重ね合わせ、凸片１８と凸片２８とは内外に重ね合わせ、かつ各重ね合わせ部分を接着固定すれば、四角形箱内に蜂の巣型隔壁態様の多格子紙弁当箱を形成することができ、かつ成型後の紙弁当箱には連結支えの定型強度が更に増える実施効果があり、それは本考案の実施例一である。
【００１１】
上記如くの多格子紙弁当箱の改善構造は、図２、図４、図３及び図６に示す如く、第一小箱１及び第二小箱２の鈍角接続形側壁１５及び鈍角接続形側壁２５は鏡反射関係の対応変化または交換実施にされ、それは必ずしも本考案の実施例一の形態を固定実施として運用する制限を受けなくてもよく、かつ第一子箱１のいずれの凸片１８を丁度蓋１９の底縁との対応連接に供される長さに延伸し、蓋１９の連接位置を選択の実施柔軟性のあるものにしてもよく、成型後の紙弁当箱は図２及び図５に示す如く、本考案実施例一と同じ蜂の巣型隔壁態様と連結支え定型強度があるものとなり、それは本考案実施例二である。
【図面の簡単な説明】
【００１２】
【図１】本考案の実施例一による多格子紙弁当箱の構造改善の分解斜視図である。
【図２】本考案の実施例一による多格子紙弁当箱の構造改善の斜視図である。
【図３】本考案の実施例一による多格子紙弁当箱の構造改善の平面展開図である。
【図４】本考案の実施例二による多格子紙弁当箱の構造改善の分解斜視図である。
【図５】本考案の実施例二による多格子紙弁当箱の構造改善の斜視図である。
【図６】本考案の実施例二による多格子紙弁当箱の構造改善の平面展開図である。
【符号の説明】
【００１３】
１  第一小箱、２  第二小箱、１１  箱底片、１２  直線形側壁、１３  直線形側壁、１４  直線形側壁、１５  鈍角接続形側壁、１６  隔壁、１７  筋状連接片、１８  凸片、１９  蓋、２１  箱底片、２２  直線形側壁、２３  直線形側壁、２４  直線形側壁、２５  鈍角接続形側壁、２６  隔壁、２７  連接片、２７ａ  貼り片、２８  凸片
【図１】
0003101936.tif 000003
【図２】
0003101936.tif 000004
【図３】
0003101936.tif 000005
【図４】
0003101936.tif 000006
【図５】
0003101936.tif 000007
【図６】
0003101936.tif 000008